(57)【要約】高密度サーバの中間平面ボード３３には、修正されたコンパクトＰＣＩ（ＣＰＣＩ）の形状係数４９，４９’を有する８個のプロセッサカードと、複数のハードドライブカードと、およびＫＭＶスイッチカードとが取付けられており、それら全てが冗長ネットワーク制御カードを使用することによりＣＰＣＩ  Ｊ２バス４９上に形成されたネットワーク接続によって一緒にネットワーク化されている。電力はまた冗長電源カードによってＣＰＣＩ  Ｊ２バスを通ってプロセッサカードに供給される。中間平面の後面にはプロセッサカードおよび電源カードが取付けられ、一方、前面には多数のハードドライブカードおよびＫＭＶスイッチカードならびに拡張カードが取付けられる。全てのカードはホットスワップ可能であり、中間平面ボード上に水平方向に構成されている。各プロセッサカードは、中間平面ボードを貫通しているＣＰＣＩ  Ｊ１バスによって２つの拡張カードを制御する。プロセッサカードピンアウトは、伝統的なＣＰＣＩ前面プロセッサカードのピンアウトの鏡像である。【選択図】図７
2004519770.tif 000002
【特許請求の範囲】
【請求項１】
中間平面ボードと、
中間平面ボードの後面に水平に取付けられた２４０ｍｍ乃至３１８ｍｍの長さを有する多数のホットスワップ可能なプロセッサカードおよび多数のホットスワップ可能な電源カードと、
中間平面ボードの前面に水平に取付けられた多数のホットスワップ可能なハードドライブカード、多数のホットスワップ可能なネットワーク制御カード、多数の拡張カードおよびＫＭＶスイッチカードと、
中間平面ボード上に形成され、プロセッサカード、ハードドライブカードおよびＫＭＶスイッチを接続し、多数のネットワーク制御カードにより制御されるネットワークを形成するＣＰＣＩ  Ｊ２バスと、
各拡張カード上のＣＰＣＩ  Ｊ１雌コネクタのピンアウトの鏡像であるピンアウトを有する各サーバカード上のＣＰＣＩ  Ｊ１雌コネクタとを具備し、
多数の電源カードは、ＣＰＣＩ  Ｊ２バスを介してプロセッサカードおよびハードドライブカードに給電し、
各サーバカードは、中間平面ボードを通過しているＣＰＣＩ  Ｊ１バスを通って導かれたＰＣＩ信号を使用して拡張カードの少なくとも２つを制御する高密度サーバ。
【請求項２】
各プロセッサカードは、拡張カードの正確に２つを制御する請求項１記載の高密度サーバ。
【請求項３】
正確に８つのプロセッサカードが中間平面ボード上に取付けられている請求項１記載の高密度サーバ。
【請求項４】
対向した前面および後面を有する中間平面ボードと、
中間平面の前面に接続された中間平面ボード前面コネクタと、
前面コネクタに接続された拡張カードコネクタを有する拡張カードと、
中間平面の後面に接続された中間平面ボード後面コネクタと、
中間平面ボードを通過し、拡張カードを後面コネクタに電気的に接続する導電性導線と、
プロセッサカードのピンアウト割当が拡張カードのピンアウト割当の鏡像になるように後面コネクタに接続されたプロセッサカードコネクタを有するプロセッサカードとを備えている高密度サーバ。
【請求項５】
中間平面ボード前面コネクタは、中間平面ボードの前面に接続された多数の中間平面ボード前面コネクタの１つであり、
拡張カードは、それぞれが多数の中間平面ボード前面コネクタに接続された拡張カードコネクタを有する多数の拡張カードの１つであり、
中間平面ボード後面コネクタは、中間平面ボードの後面に接続された多数の中間平面ボード後面コネクタの１つであり、
追加の導電性導線は中間平面を通過し、多数の拡張カードの少なくとも２つを多数の中間平面ボード後面コネクタの少なくとも１つに電気的に接続し、
プロセッサカードは、追加のプロセッサカードのピンアウト配列が拡張カードのピンアウト配列の鏡像である共にプロセッサカードの少なくとも１つが拡張カードの少なくとも２つを制御するように、それぞれが中間平面ボード後面コネクタに接続されたプロセッサカードコネクタを有する多数のプロセッサカードの１つである請求項４記載のサーバ。
【請求項６】
さらに、中間平面ボードに沿って延在し、プロセッサカードを電気的に接続する導電性トレースと、
その導電性トレースに接続され、プロセッサカードと導電性トレースとの間に形成されたネットワークを制御するネットワーク制御カードとを備えている請求項５記載のサーバ。
【請求項７】
ネットワークはさらに、キーボード、マウスおよびビデオスイッチと多数のプロセッサカードとの間の電気通信を切替えるＫＭＶスイッチを備えている請求項６記載のサーバ。
【請求項８】
ネットワーク制御カードは、ネットワークスイッチ、ネットワークハブ、ファイバチャンネル調停ループハブおよびファイバチャンネル調停ループスイッチからなるセットの１つである請求項６記載のサーバ。
【請求項９】
導電性トレースは、プロセッサカードをデイジーチェーンまたはスターネットワーク形態でネットワーク制御カードに接続する請求項６記載のサーバ。
【請求項１０】
さらに、ネットワークを制御するためにトレースを介してプロセッサカードに電気的に接続された追加の冗長ネットワーク制御カードを備えている請求項６記載のサーバ。
【請求項１１】
ネットワークはさらに、中間平面ボードの前面に接続されたファイバチャンネルハードドライブを備えている請求項６記載のサーバ。
【請求項１２】
さらに、中間平面に結合され、プロセッサカードにトレースを介して給電する多数の電源カードを備えている請求項６記載のサーバ。
【請求項１３】
中間平面ボード前面コネクタは、２２個の中間平面ボード前面コネクタピンの５行を備えた第１の半分の部分を有し、
拡張カードコネクタは、中間平面ボード前面コネクタピンを受けて前面接続インターフェースを形成する２２個のソケットの５行を備えた第１の半分の部分を有し、
中間平面ボード後面コネクタは、２２個の中間平面ボード後面コネクタピンの５行を備えた第１の半分の部分を有し、
プロセッサカードコネクタは、中間平面ボード後面コネクタピンを受けて後面接続インターフェースを形成する２２個のソケットの５行を備えた第１の半分の部分を有し、
後面接続インターフェースは、前面接続インターフェースの鏡像である請求項４記載のサーバ。
【請求項１４】
拡張カードのピンアウト割当は標準的なＪ１コンパクトＰＣＩ割当であり、プロセッサカードは標準的なＪ１コンパクトＰＣＩピンアウト割当の鏡像を使用するように構成されている請求項４記載のサーバ。
【請求項１５】
対向した前面および後面を有する中間平面ボードと、
この中間平面ボードに物理的および電気的に接続された多数のプロセッサカードと、
中間平面ボードに物理的および電気的に接続された多数のネットワーク制御カードと、
中間平面ボードに物理的および電気的に接続された多数の電源カードとを備えている高密度サーバ。
【請求項１６】
プロセッサカード、ネットワーク制御カードおよび電源カードは、コンパクトＰＣＩコネクタを介して中間平面ボードに接続されている請求項１５記載のサーバ。
【請求項１７】
プロセッサカードは、Ｊ１コンパクトＰＣＩ前面ピンアウト定義の鏡像であるピンアウト定義を有している請求項１６記載のサーバ。
【請求項１８】
ピンコネクタは中間平面ボードに取付けられ、ソケットコネクタはプロセッサカード、ネットワーク制御カードおよび電源カードに結合されており、ピンコネクタのピンはソケットコネクタのソケット中に固定されて多数のプロセッサカード、多数のネットワーク制御カードおよび多数の電源カードを中間平面ボードに物理的および電気的に接続している請求項１６記載のサーバ。
【請求項１９】
さらに、中間平面ボードに物理的および電気的に接続されたＫＭＶスイッチを備えている請求項１５記載のサーバ。
【請求項２０】
さらに、中間平面ボードに物理的および電気的に接続された多数のファイバチャンネルハードドライブカードを備えている請求項１５記載のサーバ。
【請求項２１】
ネットワーク制御カードは、ネットワークスイッチ、ネットワークハブ、ファイバチャンネル調停ループハブおよびファイバチャンネル調停ループスイッチからなるグループから選択される請求項１５記載のサーバ。
【請求項２２】
多数のプロセッサカードの少なくとも１つは、コンパクトＰＣＩコネクタのＪ１部分によって少なくとも２つの拡張カードを制御する請求項１６記載のサーバ。
【請求項２３】
さらに、中間平面ボードに沿って延在し、コンパクトＰＣＩコネクタのＪ２部分を介して多数のプロセッサカード、多数のネットワーク制御カードおよび多数の電源カードを電気的に接続する導電性トレースを備えている請求項１６記載のサーバ。
【請求項２４】
多数のネットワーク制御カードは、多数のプロセッサカード、多数のネットワーク制御カード、多数の電源カードおよび接続を行う導電性トレースから形成されたネットワークをコンパクトＰＣＩコネクタのＪ２部分によって制御する請求項２３記載のサーバ。
【請求項２５】
導電性トレースは、多数のプロセッサカード、多数のネットワーク制御カードおよび多数の電源カードをデイジーチェーンまたはスターネットワーク形態で接続している請求項２４記載のサーバ。
【請求項２６】
さらに、中間平面ボード、多数のプロセッサカード、多数のネットワーク制御カードおよび多数の電源カードを格納するシャシーを備えている請求項２４記載のサーバ。
【請求項２７】
プロセッサカード、ネットワーク制御カードおよび電源カードは、それらカードの任意のものがネットワークの遮断せずに交換されることができるようにホットスワップ可能である請求項２４記載のサーバ。
【請求項２８】
ネットワークは、プロセッサカード、ネットワーク制御カードおよび電源カードの任意の１つが動作できない場合でも、動作を続行する請求項２４記載のサーバ。
【請求項２９】
中間平面ボードの前面および後面は実質的に長方形であり、その長方形の長い辺がｘ軸を規定し、
各プロセッサカードは、ｙ軸を規定する短い辺を有するプロセッサカード前面および後面を有し、
プロセッサカードは、ｙ軸が実質的にｘ軸に垂直になるように中間平面ボードに垂直な形態で物理的に接続されている請求項１５記載のサーバ。
【請求項３０】
中間平面ボードの前面および後面は実質的に長方形であり、その長方形の長い辺がｘ軸を規定し、
各プロセッサカードは、ｙ軸を規定する短い辺を有するプロセッサカード前面および後面を有し、
プロセッサカードは、ｙ軸が実質的にｘ軸に平行になるように中間平面ボードに平行な形態で物理的に接続されている請求項１５記載のサーバ。
【請求項３１】
対向した前面および後面を有する中間平面ボードと、
この中間平面ボードの前面にコンパクトＰＣＩピンコネクタによって物理的および電気的に接続された多数の拡張カードと、
中間平面ボードの後面に逆コンパクトＰＣＩピンコネクタによって物理的および電気的に接続された多数のプロセッサカードとを備えており、
プロセッサカードの長さが１６０ｍｍより大きい高密度サーバ。
【請求項３２】
プロセッサカードの長さは約２６７ｍｍである請求項３１記載のサーバ。
【請求項３３】
プロセッサカードの幅は約３Ｕである請求項３１記載のサーバ。
【請求項３４】
プロセッサカードの幅は約６Ｕである請求項３１記載のサーバ。
【請求項３５】
プロセッサカードの長さは２４０ｍｍ乃至３２０ｍｍである請求項３１記載のサーバ。
【発明の詳細な説明】
【０００１】
【発明の属する技術分野】
本発明は、コンピュータネットワークアーキテクチャに関し、とくに、修正されたコンパクトＣＰＩ形状係数を使用して集積されたモジュラーの多重サーバシステムに関する。
【０００２】
【従来の技術】
コンピュータにおいて、クラスタ化とは、典型的にはＰＣまたはＵＮＩＸワークステーションのような多数のコンピュータ、多数の記憶装置および冗長な相互接続を使用して、ユーザには高度に利用可能な単一のシステムに思えるものを形成することである。クラスタ化は負荷平衡および高い利用性のために使用されることができる。伝統的なサーバクラスタは、高い計算およびサービス能力を提供するように無限数のサーバが単一の大型論理エンティティにおいてスケールアップされることを可能にする。性能向上に加えて、サーバクラスタは冗長性を提供し、単一のどのＰＣサーバの故障でもフェイルオーバー（ｆａｉｌｏｖｅｒ）することができる。クラスタ化の主要な考えの１つは、外界から見てクラスタが単一のシステムであるかのように思えることである。
【０００３】
上述したように、クラスタ化の一般的な使用は負荷平衡である。クラスタ化は高トラフィックのウェブサイト上のトラフィックを負荷平衡するために使用されることが多い。負荷平衡は、同じ時間量でもっと多くの作業が行われるように、一般的には全てのユーザがさらに高速にサービスされるように、あるコンピュータが行う必要のある作業の量を２以上のコンピュータに分けることである。負荷平衡は、ハードウェア、ソフトウェアまたは両者の組合せにより行われることができる。ウェブページリクエストは“マネジャ”サーバに送られ、その後この“マネジャ”サーバは、そのリクエストを処理するためにいくつかの同一のまたは非常に類似したウェブサーバのいずれが転送するように機能すべきかを決定する。１つのアプローチは、各リクエストを順にドメイン名システム（ＤＮＳ）テーブル内の異なったサーバホストアドレスにラウンドロビン方式でルートすることである。ウェブファーム（このような構成は時にそう呼ばれる）を有することにより、トラフィックはもっと高速で処理されることが可能になる。負荷平衡には多数のサーバが必要であるため、それは通常フェイルオーバーおよびバックアップサービスと組合せられる。いくつかのアプローチにおいて、サーバは異なった地理的位置に分散されている。
【０００４】
クラスタ化に対する別の一般的な使用は高い利用性である。情報テクノロジーにおいて、高い利用性とは、望ましい長期間にわたって継続的に動作するシステムまたはコンポーネントのことである。利用性は、“１００％の作動状態”または“決して故障しない”に関して測定されることが可能である。広く主張されているが達成困難であるシステムまたは製品に対する利用性の標準規格は、“ファイブ９”（９９．９９９パーセント）の利用性として知られている。
【０００５】
コンピュータシステムまたはネットワークは、全体が動作状態であるために全ての部品が通常正常状態で存在している必要のある多くの部品から構成されているので、高い利用性に対するプランニングのほとんどは、バックアップおよびフェールオーバー処理ならびにデータ記憶およびアクセスがその中心となっている。記憶については、独立したディスクの冗長なアレイ（ＲＡＩＤ）が１つのアプローチである。さらに新しいアプローチは、記憶領域ネットワーク（ＳＡＮ）である。
【０００６】
利用性のエキスパートは、任意のシステムが高度に利用できるためにはシステムの部品が適切に設計され、それらの使用前に徹底的に試験されなければならないことを強調している。たとえば、完全には試験されていない新しいアプリケーションプログラムは実システム中の頻繁な故障ポイントになる可能性が高い。
【０００７】
クラスタ化はまた、並列動作向きである科学およびその他のアプリケーションに対して比較的低コストの形態の並列処理として使用されることができる。初期のよく知られている例は、いくつかのオフザシェルフＰＣが科学アプリケーション用のクラスタを形成するために使用されていたベーオウルフプロジェクトである。
【０００８】
クラスタ化の別の使用には、ウェブページの提供およびキャッシュ、ウェブ通信のＳＳＬ暗号化、小型ディスプレイに対するウェブページコンテンツのトランスコーディング、オーディオおよびビデオコンテンツのストリーミング、ファイル共用が含まれる。
【０００９】
クラスタ化は、それがＤＥＣのＶＭＳシステムにおいて使用された１９８０年代から利用することが可能となっている。ＩＢＭのシスプレックス（ｓｙｓｐｌｅｘ）はメインフレームシステムに対するクラスタ化アプローチである。Ｍｉｃｒｏｓｏｆｔ社、Ｓｕｎ  Ｍｉｃｒｏｓｙｓｔｅｍｓ社およびその他の主要なハードウェアおよびソフトウェア会社は、スケーラビリティ（ｓｃａｌａｂｉｌｉｔｙ）および利用性を提供すると言われているクラスタ化パッケージを提供している。トラフィックまたは利用性の保証が増加すると、クラスタの全てまたはいくつかの部品はそのサイズまたは個数を増加されることができる。
【００１０】
しかしながら、コンピュータの伝統的なクラスタ化に関する問題には、サーバ間の複雑なケーブルによる相互接続、および非常に多くのサーバを収容するために必要とされる空間が含まれる。さらに、１つのサーバボードが故障した場合、ＣＰＵボードのトラブルシューティングのためにシャシー全体が取り出される必要がある。
【００１１】
高密度サーバは、伝統的なサーバクラスタ化の問題のいくつかを解決する。高密度サーバでは、単一のラック内に１個から１００個以上のサーバが配置されることができる。サーバをクラスタに追加し、あるいはそこから除去するために、ＣＰＵボードをシャシーから取出すだけでよい。高密度サーバは、そのラック内の全てのシステムにより共用される周辺デバイス（ＣＤ−Ｒドライブ、ＦＤＤドライブ、キーボード、ビデオディスプレイおよびマウス）の単一のセットを使用することが多い。
【００１２】
１つの一般的なタイプの高密度サーバは、“ブレードサーバ”である。ブレードサーバは、ＫＭＶ制御システムの使用によりケーブルの絡まりの問題を解決する。それらは、冗長な電源およびホットスワップ可能なシステムボードを含んでいることが多い。ブレードサーバは、単一の専用アプリケーション（ウェブページの提供等の）用に設計され、多くの類似したサーバと共に空間を節約するラック中に挿入されることのできる１、２またはそれ以上のマイクロプロセッサおよびメモリを含む薄型のモジュラー電子回路板である。それは単一のフロアスタンドキャビネットの多数のラックまたは行内に垂直に位置された２８０個のブレードサーバモジュールを含んでいることが知られている。共通の高速バスを共用するブレードサーバは、生成される熱が少なく、したがってスペースだけでなくエネルギコストもまた節約するように設計されている。ウェブサイトをホストする大規模データセンターおよびインターネットサービスプロバイダ（ＩＳＰ）はブレードサーバを使用する企業の中の１つである。
【００１３】
大部分のクラスタ化したアプリケーションと同様に、ブレードサーバはまた負荷均衡およびフェールオーバー能力を含むように管理されることができる。ブレードサーバは通常、ボード上においてすでにそれが専用とされているオペレーティングシステムおよびアプリケーションプログラムと共に得られる。
【００１４】
既存の高密度サーバには、高い費用、互換性の欠如および汎用性の欠如を含むいくつかの問題がある。既存の高密度サーバは、比較的少ない数量および高い利潤差額で販売されている所有権を主張できるハードウェアおよびソフトウェアを使用し、そのためにシステムは非常に高価なものになる。既存の高密度サーバは、第３パーティの拡張カードおよびその他の第３パーティのコンポーネントと適合しないことが多く、結果的にそれらの汎用性が限られたものとなる。
【００１５】
他方において、コンパクトな周辺コンポーネント相互接続（ＣＰＣＩまたはコンパクトＣＰＩ）のために、標準的な第３パーティの拡張カード、コンポーネントおよびソフトウェアの使用を可能にするコンピュータバックプレーンアーキテクチャおよび周辺機器統合に対する規格が適用される。ＣＰＣＩは、異なって物理的形状係数を有するデスクトップ周辺コンポーネントの電気的相互接続（ＰＣＩ）のスーパーセットである。ＣＰＣＩはＶＭＥバスによって普及したユーロカード形状係数を使用する。周辺デバイスまたは拡張カードはバックプレーン上のスロットを占有し、それらの電力をそこから獲得し、マザーカード、サーバカード、マザーボードまたはＣＰＵを有するシステムスロットボードのようなプロセッサカードを使用してそれらに関連したアプリケーションを駆動し、このようなプロセッサカードもまたバックプレーン上のスロットを占有する。
【００１６】
ＣＰＣＩは、拡張カードとプロセッサカードとバックプレーンとの間に標準的な高速ＰＣＩローカルバスインターフェースを提供する。バスは、そのラインに結合された全てのデバイスのそれぞれにおいて信号がドロップオフされ、あるいはピックアップされる伝送路である。信号によりアドレスされたデバイスだけがそれら信号に注意を払い、他のデバイスはその信号を廃棄する。ＰＣＩ規格は、ＣＰＵと周辺デバイスカードとの間においてＩＳＡバスにより可能なレートよりはるかに速い速度（たとえば、５Ｍｂｐｓと対照的に約１３２Ｍｂｐｓ）でデータを転送することのできるＩＮＴＥＬ社によりＰＣのために開発されたバス規格である。
【００１７】
図１は、システムシャシーの前方から見られる従来技術の典型的なＣＰＣＩバックプレーンを示している。ＣＰＣＩシステムは、１以上のＣＰＣＩバスセグメントから構成されている。各セグメントは８つまでのＣＰＣＩカード位置１３から構成されており、カードの中心間間隔は２０．３２ｍｍ（０．８インチ）である。各ＣＰＣＩセグメントは１つのシステムスロット１５と、および７つまでの周辺スロットまたは拡張カード１７とから構成されている。
【００１８】
システムスロットカードはシステムスロット１５中に位置され、セグメント上の全てのカードに調停、クロック分配およびリセット機能を行わせる。このシステムスロットは、各ローカルカードのＩＤＳＥＬ信号を管理することによりシステム初期化を行うことができる。物理的に、システムスロットはバックプレーン内のどの位置に配置されてもよい。周辺スロット１７は単一のボードまたはカード、インテリジェントスレーブ、またはＰＣＩバスマスターを含んでいてもよい。
【００１９】
示されているように、８つのＣＰＣＩの前面の雄（ピン）コネクタ１９は、図１の各カード位置１３においてバックプレーン１１に結合されている。図２は、ＣＰＣＩカードを前面ピンコネクタ１９によってカード位置１３に結合する雌（ソケット）コネクタ２１を示している。各コネクタは、Ｊ１と呼ばれる２分された下方半分（１１０個のピン）およびＪ２と呼ばれる上方半分（１１０個のピン）の２つの半部から構成されている。コネクタキーイングは、カードの間違ったインストレーションを物理的に阻止するためにＪ１コネクタ上で行われ、広い結合スロットまたは溝２７中に適合する幅の広いキー２３と、狭い結合スロットまたは溝２９中に適合する狭いキー２５とを含んでいる。図１は、コネクタの１つに対する結合スロットのみを示しているが、その他のコネクタもまた結合スロットを含んでいることを理解する必要がある。
【００２０】
ある通信用において、カードはＣＰＣＩバックプレーンの後面上において接続される（この場合、バックプレーンは中間平面である）。これによって、製造業者は外部入力および出力インターフェースを終端するようにしか機能しないカードを設計することが可能となる。したがって、全てのプロセッサアクティビティがカードの前面に集中されることができ、それによって特定のカードに関連した全てのケーブリングがカードの後面上の電気インターフェース中にプラグ結合されることが可能となる。それは２つのセクションに分けられているので、前方またはプロセッサセクションは、それが交換されなければならないとき、後方部分に固定されたケーブリングを妨害せずに設けられている物理的なイジェクトレバーを使用して取出されることができる。前面ピンコネクタ１９の鏡像である形状係数を有する後面ピンコネクタは、中間平面の後面に結合される。後面コネクタの結合スロットはまた前面ピンコネクタの結合スロット２７，２９の鏡像である。したがって、前面雌コネクタ２１のキーは中間平面ボードの雄型後面コネクタの結合スロット中に適合しないため、前面雌コネクタ２１を有するカードは中間平面ボードの雄型後面ピンコネクタ中には適合しない。その代りに、後面ピンコネクタ中に挿入されるべきカードは、後面コネクタの結合スロット中に適合する逆にされたコネクタキーを含む前面雌コネクタの鏡像である形状係数を有する後面雌コネクタを使用する。
【００２１】
【発明が解決しようとする課題】
カード位置１３中に挿入されるカードは、図３に示されているようなＣＰＣＩ形状係数を使用する。ＣＰＣＩカードに対して規定された形状係数は、ユーロカード工業規格に基づいている。３Ｕ（横１００ｍｍ×縦１６０ｍｍ）および６Ｕ（横２３３．３５ｍｍ×縦１６０ｍｍ）の両カードサイズが規定されている。図３には、３Ｕ（横１００ｍｍ）の形状係数が示されている。
【００２２】
３Ｕの形状係数は、そこに全６４ビットＣＰＣＩバスが収容されるため、ＣＰＣＩに対して最小である。６Ｕ拡張は、追加のカード面積または接続スペースが必要とされるカードに対して規定されている。
【００２３】
各Ｊ１／Ｊ２コネクタは、パワー信号、接地信号、ならびに３２および６４ビットＰＣＩ信号の全てのために２２０個のピンを有している。Ｊ１は３２ビットＰＣＩ信号のために使用される。Ｊ２の信号はユーザにより規定され、６４ビットＰＣＩ信号転送または後方パネルＩ／Ｏのために使用されることができる。３２ビット転送のみを行うプラグインカードは、単一の１１０個のピンコネクタ（Ｊ１）を使用することができる。３２ビットカードおよび６４ビットカードは混ぜられて、単一の６４ビットバックプレーン中にプラグ結合されることができる。図４は、中間平面の前面のＪ１コネクタに対するピンアウト図を示している。ピンアウトは、多ピンハードウェア接続インターフェースにおける各ピンの目的を記述したものである。図４のピン割当は図１に示されているコネクタ１９のＪ１ピンに対応している。
【００２４】
６Ｕカードはアプリケーション用のＪ３乃至Ｊ５コネクタを有することができる。アプリケーションは後方パネルＩ／Ｏ、バスされる信号（たとえば、Ｈ．１１０）、またはカスタム使用を含むことができる。
【００２５】
しかしながら、ＣＰＣＩは高密度サーバの構成に対して最適ではない。ＣＰＣＩアーキテクチャの適合性および汎用性を利用する高密度サーバを提供することが望ましい。
【００２６】
本発明の一般的な目的は、信頼性の高い多能で経済的な高密度サーバを提供することである。
【００２７】
【課題を解決するための手段】
本発明の１実施形態は８個のプロセッサカード、複数のハードドライブカードおよびＫＭＶスイッチカードを中間平面ボードに取付けることにより得られ、それら全てが冗長ネットワーク制御カードを使用してＣＰＣＩ  Ｊ２バスから形成されたネットワーク接続によって一緒にネットワーク化されている。電力は同様にＣＰＣＩ  Ｊ２バスを通って冗長電源カードにより供給される。中間平面の後面にはプロセッサカードおよび電源カードが取付けられ、一方中間平面の前面には多数のハードドライブカードおよびＫＭＶスイッチカードならびに拡張カードが取付けられる。全てのカードは、中間平面ボードの前面および後面の面積を効率的に使用するように水平方向に構成され、中間平面ボード上のコラム内にスタックされる。各プロセッサカードは、中間平面ボードを貫通しているＣＰＣＩ  Ｊ１バスによって２つの拡張カードを制御し、１つの制御装置カードが７つの拡張カードを制御する伝統的なＣＰＣＩ配列より高い効率を実現する。プロセッサカードピンアウトは、伝統的なＣＰＣＩ前面プロセッサカードのピンアウトおよび拡張カードのピンアウトの鏡像であり、プロセッサカードの特有の後面ポジショニングを可能にする。プロセッサカードは、オーバーヒートの問題を軽減しながら、カード上にさらに廉価なコンポーネントをもっと多く配置することを可能にする長い長さを有することにより変更されたＣＰＣＩカードの形状係数を使用する。プロセッサカード、ハードドライブカードおよびネットワーク制御カードは冗長であるため、１以上のカードが故障した場合でも、高密度のサーバは動作し続ける。さらに、高密度サーバはＣＰＣＩのホットスワップ能力を使用して、高密度サーバが動作し続けている最中におけるカードの交換を可能にする。このシステムは、中間平面の前面または後面中にプラグ結合されたカードの任意のものを追加または交換することにより容易にアップグレード可能であり、拡張可能である。
【００２８】
本発明のさらに一般的な実施形態は、対向した前面および後面を有する中間平面ボードと、中間平面の前面に接続された中間平面ボード前面コネクタと、前面コネクタに接続された拡張カードコネクタを有する拡張カードと、中間平面の後面に接続された中間平面ボード後面コネクタと、中間平面を通過し、拡張カードを後面コネクタに電気的に接続する導電性導線と、およびプロセッサカードのピンアウト割当が拡張カードのピンアウト割当の鏡像になるように後面コネクタに接続されたプロセッサカードコネクタを有するプロセッサカードとを具備することができる。
【００２９】
本発明の別の一般的な実施形態は、対向した前面および後面を有する中間平面ボードと、この中間平面ボードに物理的および電気的に接続された多数のプロセッサカードと、中間平面ボードに物理的および電気的に接続された多数のネットワーク制御カードと、および中間平面ボードに物理的および電気的に接続された多数の電源カードとを具備することができる。
【００３０】
本発明のさらに別の一般的な実施形態は、対向した前面および後面を有する中間平面ボードと、この中間平面ボードの前面にコンパクトＰＣＩピンコネクタによって物理的および電気的に接続された多数の拡張カードと、中間平面ボードの後面に逆コンパクトＰＣＩピンコネクタによって物理的および電気的に接続された多数のプロセッサカードとを備えており、プロセッサカードの長さは１６０ｍｍより大きい。
【００３１】
本発明の上述した各特徴の利点は以下に示す説明において明らかになるであろう。
【００３２】
【発明の実施の形態】
この明細書は本発明の特定の実施形態を記載されているが、当業者は本発明の技術的範囲を逸脱することなく本発明の変形を考えることができる。
【００３３】
図５は、サーバアレイ３１の例示的な物理的構造を示している。この構造は図１７の概略図に対応している。中間平面３３は垂直に位置し、ｘ軸を規定する長いエッジを有するものとして示されている。中間平面３３の後面４３には、水平に方位付けられた４つの、マザーカード、サーバカード、マザーボードまたはＣＰＵを有するシステムスロットボードのような、プロセッサカード３５をそれぞれ有している２つのコラムが結合されている。この中間平面３３の後面４３には、４つの水平に方位付けられた冗長電源カード３７のコラムもまた結合されている。中間平面３３の前面４５には、拡張カード４７の２つの水平に方向付けられたコラムと、１以上のネットワーク制御カードを含むカード４８のコラムとが位置している。カード３５，３７，４７，４８は、図５に示されているようにｙ軸を規定するエッジを有している。カードが水平に方位付けられている場合、ｘ軸はｙ軸に平行である。いくつかのファン５０はカード３５，３７，４７，４８を横切って空気を送り、冷却を行う。サーバアレイ３１は、シャシ３９によって支持されている。図６は、シャシ３９内にカード３５，３７が格納されることを示すさらに詳細な斜視図である。サーバアレイ３１は、モデルに応じて１Ｕ乃至８Ｕ（１Ｕ＝１．７５’’）の範囲の高さを有する標準的な１９’’幅の標準テレコムラック中に適合するように設計されている。
【００３４】
その代りに、カード３５，３７，４７，４８は垂直に方位付けられることが可能であるため、各カードはｘ軸に垂直なｙ軸に関して方位付けられる。熱はカード間の垂直空間に沿って上昇することができるので、垂直な方位付けは、それによって良好な冷却が行われる点で有効である。水平な方位付けは、それによって中間平面３３中にさらに多くのカードを挿入する空間がさらに提供される点で有効である。また、本発明においては異なった数および組合せならびにタイプのカードが以下に説明するように使用されることができる。
【００３５】
図７は、本発明の３Ｕ（ほぼ５インチの高さおよび１６．９インチの長さ）のバージョンの中間平面３３の前面を示している。この特定の実施形態は、垂直カード形状向けに方位付けられた多数のＣＰＣＩカード位置４９，４９’を有しているが、しかしながら、以下の説明は、カード位置が水平カード形態向けに方位付けられた本発明の実施形態にも適用される。ボードは、回路トレースがいくつかの層上に形成された８層のＰＣＢである。各ボード位置４９，４９’は、多数の導電性めっきされた貫通孔５１を有し、これらの貫通孔５１は、中間平面３３を通って信号を伝送するために中間平面３３の後面まで貫通している。位置４９は、図１のＣＰＣＩ前面の雄（ピン）コネクタ１９の結合のために設けられている。ボード位置４９，４９’のＪ１セグメントに対するピンアウトは図４に示されている。図２の雌（ソケット）コネクタ２１を有するＣＰＣＩカードは、前面のピンコネクタ１９によってボード位置４９に結合される。位置４９’は、Ｊ２ピンではなくＪ１ピンを有するコネクタの取付けのために設けられている。
【００３６】
中間平面３３の後面上のめっきされた貫通孔は、明らかに中間平面３３の前面上のめっきされた貫通孔５１の鏡像である。形状係数である前面ピンコネクタ１９の鏡像を有する後面ピンコネクタは、中間平面の後面に取付けられている。中間平面３３の後面上のＪ１セグメントのピンアウトは、図８に示されている。図２の雌コネクタ２１の鏡像である雌コネクタを有するボードは、後面ピンコネクタ１９によってボード位置４９に結合されている。
【００３７】
図９は、本発明のサーバアレイの１実施形態の機能的インフラストラクチャを示している。Ｊ１  ＣＰＣＩシステムバス５３、Ｊ２  １００ベースのＴバス５５、ＫＭＶバス５７、ファイバチャンネルバス５９および電源路６１は全て図７の中間平面ボード３３上に支持されている。
【００３８】
中間平面ボード３３上には、多数のプロセッサカード３５（それぞれがいくつかのＣＰＵをサポートすることができる）、多数のハードドライブカード７１およびＫＭＶ（キーボード、マウスおよびビデオスイッチ）スイッチカード６５が取付けられており、それら全てが冗長ネットワーク制御カード（１００ベースのＴ管理可能ネットワークスイッチカードまたはネットワークハブカード）６３を使用して、ＣＰＣＩ  Ｊ２バス５５から形成されたバス接続５５，５７，５９によって一緒にネットワーク化されている。したがって、Ｊ２バスを使用して各プロセッサカード３５を互いにおよびネットワークスイッチカードに接続する中間平面ボード３３を通ってイーサネットまたはその他のネットワークシステムが形成される。
【００３９】
図２４には、プロセッサカード３５のＣＰＵに対するユーザ規定Ｊ２ピンアウト割当が示されている。図２４の表において、ＰＣＩＣＬＫ４はｐｃｉクロック信号を表し、ＭＵＳＣＬＫ／ＭＵＳＤＡＴＡはマウス信号を表し、ＣＵＶｘはＵＳＢ信号を表し、ＭＤＤＡＴ／ＭＤＣＬＫはキーボード信号を表し、ＭＲ，ＭＧ，ＭＢはＶＧＡ  ＲＧＢ信号を表し、ＭＨＳＹＮＣ，ＭＶＳＹＮＣはＶＧＡ同期信号を表し、ＰＲＥＱ＃３，ＰＧＮＴ＃３はｐｃｉ ｒｅｑ／ｇｎｔ信号を表し、ＥＴｘはイーサネットＴ符号を表し、ＥＲｘはイーサネットＲ信号を表し、ＳＭＣＬＫ／ＳＭＢＤＡＴはモニタ信号を表しており、？ｘは信号導線が使用されていないことを意味している。
【００４０】
ファイバチャンネル路はまたＣＰＣＩ  Ｊ２バスによって構成されることができる。ハードドライブ７１はファイバチャンネルハードドライブであることが可能であり、その場合、ファイバチャンネルバス５９がプロセッサカード３５とハードドライブ７１との間の通信を可能にすることができる。また、このＪ２バスには、ファイバチャンネルを制御するファイバチャンネル調停ハブまたはスイッチ６９が接続されることができる。ファイバチャンネル調停ハブまたはスイッチ６９はまた、プロセッサカード３５間における通信のためのファイバネットワークを構成するネットワーク制御カードとして機能することができる。
【００４１】
ネットワーク制御カード６３は１２ポート１００ベースのＴ管理可能ネットワークスイッチであることができる。８個のポートは、プロセッサカード３５にルートするためにＣＰＣＩ  Ｊ２に接続することができる。４個のポート、またはスイッチの前方パネルに取付けられたオプションの１個のＧＢポートは、ネットワークポートに対するアップリンクのために使用されることができる。
【００４２】
電力は冗長な（Ｎ＋１）負荷共有電源カード７３により、ＣＰＣＩ  Ｊ２バスを使用する電源路６１を通って供給されると共に、中間平面３３を横切って通過しているＪ１バスを使用する通路を通って供給される。たとえば、プロセッサカード３５はＪ１バスを通って給電され、拡張カード３５はＪ２バスを通って給電される。冗長な電源カード７３は２００乃至５００Ｗの出力容量を有しているため、種々のカードピンアウトに＋／−３．３Ｖ，＋／−５Ｖおよび１２Ｖを供給することができる。
【００４３】
ＫＭＶスイッチカード６５は、標準的なＣＰＣＩ  ３Ｕ  ＰＣＢを使用することができる。ＫＭＶスイッチは、外部キーボード、マウスおよびビデオモニタの１つのセットだけが全てのプロセッサカードを制御することを必要とされるように、プロセッサカードの信号の任意の１つを専用コネクタに切替えることができる。ＫＭＶスイッチは、ＵＳＢマウスポート８５を使用してマウスに接続することができ、また、ＵＳＢキーボードポート８３を使用してキーボードに接続することができる。
【００４４】
プロセッサカード３５および電源カード３７は中間平面ボードの後面に取付けられ（図５参照）、多数のハードドライブカード、ＫＭＶスイッチカード６５および拡張カード４７は中間平面ボードの前面に取付けられる。
【００４５】
各プロセッサカードは中間平面ボードを通過するＣＰＣＩ  Ｊ１バスを通ってＣＰＩ信号を送信することにより２つの拡張カード４７を制御し、このＣＰＣＩ  Ｊ１バスは、１つのコントローラカードが７つの拡張カードを制御する伝統的なＣＰＣＩ構成（図１参照）より高いスループットを提供する。拡張カード４７は任意の第３パーティのＣＰＣＩカードであることができる。拡張カード４７は、たとえば、標準的なＣＰＣＩ  ３Ｕ拡張カードであることができる。ＣＰＣＩ  Ｊ１コネクタはまたＪ２バスを通って電力を供給するのではなく、拡張カード４７に給電するために使用される。いくつかの実施形態において、拡張カードはまたＣＰＣＩ  Ｊ２バスを通ってプロセッサカード４７およびその他のカードに接続されることができる。
【００４６】
プロセッサカード３５を中間平面３３の後面上に取付けることによって、本発明のサーバアレイの多数の利点を得ることができる。多数のプロセッサカード３５を単一の中間平面３３上に高密度に配置することが可能になる。また、プロセッサカード３５を中間平面３３の後面上に取付けることにより、中間平面３３の前面上における追加の拡張カード４７のためのスペースがさらに確保される。したがって、プロセッサカード３５とこのプロセッサカード３５により制御される拡張カード４７との間のネットワークは、単一の中間平面ボード３３上に形成されることができる。プロセッサカード３５を中間平面３３の後面上に配置するために、図１のバックプレーン１１のようなバックプレーンの前面上に取付けられた伝統的なＣＰＣＩプロセッサカードのＪ１ピンアウトの鏡像であるプロセッサカードのＪ１ピンアウトの構成が重要である。プロセッサカード３５のピンアウトは図４に示されているとおりである。バックプレーンの前面上に取付けられた伝統的なＣＰＣＩプロセッサカードに対するＪ１ピンアウトは、図８に示されているとおりである。図面から認識できるように、Ｊ１ピンアウト割当は互いの鏡像である。
【００４７】
図２１は、図４および８のピンアウトの関係を示している。拡張カード２１または前面に取付けられたプロセッサカードに対するピンアウトは、左側から右側に向かってＦ−Ａである。本発明の後面に取付けられたプロセッサカードのピンアウトは、左側から右側に向かってＡ−Ｆである。この設計を行うために、標準的なＣＰＣＩプロセッサカードにおいて使用される通路を再構成する新しいプロセッサカード３５のレイアウトが発明された。標準的なＣＰＣＩプロセッサカードの“Ａ”路は“Ｆ”のＩ／Ｏを伝送するようにルートされ、“Ｂ”路は“Ｅ”のＩ／Ｏを伝送するようにルートされ、“Ｃ”路は“Ｄ”のＩ／Ｏを伝送するようにルートされ、“Ｄ”路は“Ｃ”のＩ／Ｏを伝送するようにルートされ、“Ｅ”路は“Ｂ”のＩ／Ｏを伝送するようにルートされ、“Ｆ”路は“Ａ”のＩ／Ｏを伝送するようにルートされている。図２２は、雌（ソケット）コネクタ２１を備えたネットワーク制御カード６３を示す概略図を示している。図２３は、図２の雌コネクタ２１の鏡像である後面雌コネクタ９９を有するプロセッサカード３５を示す概略図を示している。
【００４８】
プロセッサカード３５は、オーバーヒート問題を軽減しながら、カード上にさらに廉価なコンポーネントをもっと多く配置することを可能にする長い長さ（２４０ｍｍ乃至３２０ｍｍ）を有することにより修正されたＣＰＣＩカードの形状係数を使用する。１つの特定の実施形態において、カードの長さはほぼ２６７ｍｍである。プロセッサカード３５は、一般的なデスクトップＰＣまたは独立型サーバチップセットを使用し、修正されたモジュラＣＰＣＩ形状係数を有している。各プロセッサカード３５はオン／オフスイッチをその前方パネル上に有している。各プロセッサカード３５はまた、ＩＤＥバス７７、ＳＣＳＩバス７９または１以上のＵＳＢポート８１を使用することにより、中間平面３３を通過せずにＵＳＢフロッピードライブ、ＵＳＢ  ＣＤ  ＲＯＭドライブ他のＵＳＢデバイスであるハードドライブ７５のような別の周辺装置に直接接続することができる。ネットワークアクチブＬＥＤ、パワーＬＥＤ、およびＣＰＵノーマルＬＥＤインジケータは、プロセッサカード３５のプロセッサ前面パネル上に配置されている。プロセッサカードの設計は２種類存在する。３Ｕプロセッサカードモジュールは幅が３Ｕ（５．２５’’）であり、長さが６Ｕ（１０．５’’）である。３Ｕプロセッサの形状係数は２つのＣＰＵを使用することができる。６Ｕプロセッサカードモジュールは幅が６Ｕ（１０．５’’）であり、長さが６Ｕ（１０．５’’）である。６Ｕプロセッサカードの形状係数は、たとえば、内蔵されたＲＡＩＤ  ＳＣＳＩまたはＲＡＩＤ  ＥＩＤＥコントローラにより４つのＣＰＵを使用することができる。
【００４９】
プロセッサカード３５、ハードドライブカード７１およびネットワーク制御カード６３は、１以上のカードが故障した場合でも高密度サーバ３１が動作し続けるように冗長であり、それによって高い利用性およびフェイルオーバー（ｆａｉｌｏｖｅｒ）を実現することができる。さらに、高密度サーバ３１はＣＰＣＩのホットスワップ能力を使用して高密度サーバが動作を続行している最中にカードの交換を行うことを可能にし、その結果利用性が高くなる。システム監視モジュール６７（図９）は、その他のカードの１つが故障したことをＪ２バスを通して検出することができる。警告はネットワークを通ってネットワークスイッチ６３に渡され、その後外部ネットワークを通って外部位置に送られることができる。それ故、サーバアレイがホットスワップ能力を使用して正常な動作を続けているあいだに、修復作業者が故障したカードを除去し、それを新しいものと交換することができる。システム監視モジュールは、たとえば、ＫＭＶスイッチカード上に配置されたチップによって構成されることができる。
【００５０】
システムは、中間平面の前面または後面中にプラグ結合されたカードの任意のものを追加または交換することにより容易にアップグレードされ、拡張されることができる。新しいプロセッサが開発され、リリースされたとき、システムをアップグレードするためにプロセッサカードだけを交換すればよく、その結果アップグレードのフレキシビリティが著しく高くなる。このような経済的なシステム中のホットスワップ能力はきわめてユニークである。故障したカードの交換またはアップグレードに対して、システム停止時間は必要ない。
【００５１】
上述したように、各プロセッサカードは、Ｊ１バスを通ってルートされたＰＣＩ信号によって２つの拡張カードを制御する。プロセッサカードおよび２つの拡張カードの多くのセットが冗長であり、それによってセット間における負荷平衡を行うことが可能になっている。また、プロセッサカードまたは拡張カードのどれかが故障した場合、冗長なプロセッサカード／拡張カードセットの１つがフェイルオーバーを行う任意の所定のタスクを引き継ぐことができる。同様に、電源カード、ハードドライブカードおよびネットワーク制御カードは冗長であり、負荷平衡およびフェイルオーバーを行うことが可能である。
【００５２】
図１０乃至２０は、サーバアレイ３１の種々の実施形態を示している。図１０はｅサーバ用のサーバアレイを示している。それは単一の行の中に垂直に方位付けられた８つの３Ｕ幅のプロセッサカードを備えている。各プロセッサカードは単一のＣＰＵを有している。このサーバは１９’’，４Ｕのボックス内に格納されている。
【００５３】
図１１はターミナルサーバ、ウェブサーバ、ネットワークルーティングまたはセキュリティ用のサーバアレイを示している。それは水平に方位付けられた２つの３Ｕ幅の隣接したプロセッサカードを備えている。各プロセッサカードは単一のＣＰＵを有している。このサーバは１９’’，１Ｕのボックス内に格納されている。
【００５４】
図１２のサーバアレイは、水平に方位付けられた１つの６Ｕ幅のプロセッサカードを備えている。プロセッサカードは単一のＣＰＵを有している。このサーバは１９’’，４Ｕのボックス内に格納され、２つのハードドライブを備えている。
【００５５】
図１３は小型ビジネスサーバとして機能するサーバアレイを示している。それは単一のコラム内に水平に方位付けられて積重ねられた２つの６Ｕ幅のプロセッサカードを備えている。各プロセッサカードは単一のＣＰＵを有している。このサーバは１９’’，２Ｕのボックス内に格納され、４つのハードドライブを備えている。
【００５６】
図１４はユーティリティサーバ用のサーバアレイを示している。それは１つのコラムに２つづつ２つのコラム中に水平に方位付けられてスタックされた４つの３Ｕ幅のプロセッサカードを備えている。２つのプロセッサカードは単一のＣＰＵを有し、２つのプロセッサカードは二重のＣＰＵを有している。このサーバは１９’’，２Ｕのボックス内に格納されている。
【００５７】
図１５はまたユーティリティサーバ用のサーバアレイを示している。それは１つのコラムに３つづつ２つのコラム中に水平に方位付けられてスタックされた６つの３Ｕ幅のプロセッサカードを備えている。各プロセッサカードは単一のＣＰＵを有している。このサーバは１９’’，３Ｕのボックス内に格納されている。
【００５８】
図１６はエンタープライズサーバ用に使用されるサーバアレイを示している。それは１つのコラム中に水平に方位付けられてスタックされた３つの６Ｕ幅のプロセッサカードを備えている。各プロセッサカードは２つのＣＰＵを有している。このサーバは１９’’，３Ｕのボックス内に格納され、３つのハードドライブおよび２つのＫＭＶスイッチを備えている。
【００５９】
図１７は別のユーティリティサーバを示している。それは１つのコラムに４つづつ２つのコラム中に水平に方位付けられてスタックされた８つの３Ｕ幅のプロセッサカードを備えている。各プロセッサカードは単一のＣＰＵを有している。このサーバは１９’’，４Ｕのボックス内に格納されている。
【００６０】
図１８はエンタープライズサーバとして機能するサーバアレイを示している。それは１つのコラム中に水平に方位付けられてスタックされた４つの６Ｕ幅のプロセッサカードを備えている。各プロセッサカードは二重のＣＰＵを有している。このサーバは１９’’，４Ｕのボックス内に格納され、８つのハードドライブを備えている。
【００６１】
図１９は、パワーサーバとして機能するサーバアレイを示している。それは１つのコラム中に水平に方位付けられてスタックされた５つの６Ｕ幅のプロセッサカードを備えている。５つのプロセッサカードは合計８つのＣＰＵを有している。サーバは１９’’，５Ｕのボックス内に格納され、１０のハードドライブと３つのＫＭＶスイッチとを備えている。
【００６２】
図２０はサーバアレイの別のレイアウトを示している。それは１つのコラム中に水平に方位付けられてスタックされた８つの６Ｕ幅のプロセッサカードを備えている。各プロセッサカードは単一のＣＰＵを有している。サーバは１９’’，８Ｕのボックス内に格納され、１５のハードドライブと２つのファイバチャンネル調停ループハブまたはスイッチとを備えている。
【００６３】
本発明の高密度サーバアレイは、企業サーバファーム、ＡＳＰ／ＩＳＰファシリティーズ、移動電話基地局、ビデオ・オン・デマンドおよびウェブホスティングオペレーションズを含む多くの用途で使用される。
【００６４】
本発明の技術的範囲を逸脱することなく別の実施形態が使用されることができ、構造的および機能的変更が行われることが可能であることが認識されるであろう。本発明の実施形態の上記の説明は、例示および説明のために示されたものである。それは排他的ではなく、また、開示された厳密な形態に本発明を制限するものではない。したがって、上述した技術を考慮して多くの修正および変形が可能である。したがって、本発明の技術的範囲はこの詳細な説明によって制限されるものではない。
【図面の簡単な説明】
【図１】
システムシャシの前方から見た従来技術の典型的なＣＰＣＩバックプレーンの概略図。
【図２】
中間平面の前面にＣＰＣＩカードを結合する従来技術の雌（ソケット）コネクタを示す概略斜視図。
【図３】
ＣＰＣＩ拡張カードに対する従来技術の形状係数の概略図。
【図４】
中間平面ボードの前面の雄Ｊ１コネクタに対するピンアウト図。
【図５】
本発明のサーバアレイの物理的構造の概略斜視図。
【図６】
サーバアレイを格納するためのハウジングの斜視図。
【図７】
３Ｕバージョンの中間平面を示す概略図。
【図８】
中間平面ボードの後面上におけるＪ１コネクタのためのピンアウト図。
【図９】
サーバアレイの１実施形態の機能的インフラストラクチャの概略図。
【図１０】
ｅサーバ用のサーバアレイの概略図。
【図１１】
ターミナルサーバ、ウェブサーバ、ネットワークルーティングまたはセキュリティアプリケーション用のサーバアレイの概略図。
【図１２】
水平に方位付けられた６Ｕ幅のプロセッサカードを含むサーバアレイの概略図。
【図１３】
小型ビジネスサーバとして機能するサーバアレイの概略図。
【図１４】
ユーティリティサーバ用のサーバアレイの概略図。
【図１５】
ユーティリティサーバ用のサーバアレイの概略図。
【図１６】
エンタープライズサーバアプリケーション用に使用されるサーバアレイの概略図。
【図１７】
別のユーティリティサーバの概略図。
【図１８】
エンタープライズサーバとして機能するサーバアレイの概略図。
【図１９】
パワーサーバとして機能するサーバアレイの概略図。
【図２０】
サーバアレイの別のレイアウトを示す概略図。
【図２１】
図４および図８のピンアウトの関係を示す概略図。
【図２２】
雌コネクタであるネットワーク制御カードを示す概略図。
【図２３】
図２の雌コネクタの鏡像である後面雌コネクタを有するプロセッサカードを示す概略図。
【図２４】
プロセッサカードのＣＰＵに対するユーザ規定Ｊ２ピンアウト構成図。
【図１】
2004519770.tif 000003
【図２】
2004519770.tif 000004
【図３】
2004519770.tif 000005
【図４】
2004519770.tif 000006
【図５】
2004519770.tif 000007
【図６】
2004519770.tif 000008
【図７】
2004519770.tif 000009
【図８】
2004519770.tif 000010
【図９】
2004519770.tif 000011
【図１０】
2004519770.tif 000012
【図１１】
2004519770.tif 000013
【図１２】
2004519770.tif 000014
【図１３】
2004519770.tif 000015
【図１４】
2004519770.tif 000016
【図１５】
2004519770.tif 000017
【図１６】
2004519770.tif 000018
【図１７】
2004519770.tif 000019
【図１８】
2004519770.tif 000020
【図１９】
2004519770.tif 000021
【図２０】
2004519770.tif 000022
【図２１】
2004519770.tif 000023
【図２２】
2004519770.tif 000024
【図２３】
2004519770.tif 000025
【図２４】
2004519770.tif 000026
【国際公開パンフレット】
2004519770.tif 000027
2004519770.tif 000028
2004519770.tif 000029
2004519770.tif 000030
2004519770.tif 000031
2004519770.tif 000032
2004519770.tif 000033
2004519770.tif 000034
2004519770.tif 000035
2004519770.tif 000036
2004519770.tif 000037
2004519770.tif 000038
2004519770.tif 000039
2004519770.tif 000040
2004519770.tif 000041
2004519770.tif 000042
2004519770.tif 000043
2004519770.tif 000044
2004519770.tif 000045
2004519770.tif 000046
2004519770.tif 000047
2004519770.tif 000048
2004519770.tif 000049
2004519770.tif 000050
2004519770.tif 000051
2004519770.tif 000052
2004519770.tif 000053
2004519770.tif 000054
2004519770.tif 000055
2004519770.tif 000056
2004519770.tif 000057
2004519770.tif 000058
2004519770.tif 000059
2004519770.tif 000060
2004519770.tif 000061
2004519770.tif 000062
2004519770.tif 000063
2004519770.tif 000064
2004519770.tif 000065
2004519770.tif 000066
2004519770.tif 000067
2004519770.tif 000068
2004519770.tif 000069
2004519770.tif 000070
2004519770.tif 000071
2004519770.tif 000072
2004519770.tif 000073
2004519770.tif 000074
【国際公開パンフレット（コレクトバージョン）】
2004519770.tif 000075
2004519770.tif 000076
【国際公開パンフレット（コレクトバージョン）】
2004519770.tif 000077
2004519770.tif 000078
2004519770.tif 000079
2004519770.tif 000080
2004519770.tif 000081
2004519770.tif 000082
2004519770.tif 000083
2004519770.tif 000084
2004519770.tif 000085
2004519770.tif 000086
2004519770.tif 000087
2004519770.tif 000088
2004519770.tif 000089
2004519770.tif 000090
2004519770.tif 000091
2004519770.tif 000092
2004519770.tif 000093
2004519770.tif 000094
2004519770.tif 000095
2004519770.tif 000096
2004519770.tif 000097
2004519770.tif 000098
2004519770.tif 000099
2004519770.tif 000100
2004519770.tif 000101
2004519770.tif 000102
2004519770.tif 000103
2004519770.tif 000104
2004519770.tif 000105
2004519770.tif 000106
2004519770.tif 000107
2004519770.tif 000108
2004519770.tif 000109
2004519770.tif 000110
2004519770.tif 000111
2004519770.tif 000112
2004519770.tif 000113
2004519770.tif 000114
2004519770.tif 000115
2004519770.tif 000116
2004519770.tif 000117
2004519770.tif 000118
2004519770.tif 000119
2004519770.tif 000120
2004519770.tif 000121
2004519770.tif 000122
2004519770.tif 000123
2004519770.tif 000124
【国際調査報告】
2004519770.tif 000125